(57)【要約】【課題】視聴予約を行った番組の見逃しを防ぐことができる携帯端末を提供する。【解決手段】デジタル放送において放送される番組を受信する受信部１０１と、受信部１０１により受信される番組を記録するメモリ１１２と、放送予定の番組を視聴予約する入力部１０６と、入力部１０６で予約した番組の放送開始前に予約した番組が放送開始される旨の報知を行い、該報知に対して予め定められた応答がない場合は、当該視聴予約がされている番組をメモリ１１２に記録する制御部１１３とを設ける。【選択図】図１
2006041880.tif 000002
【特許請求の範囲】
【請求項１】
デジタル放送において放送される番組を受信する受信手段と、
該受信手段により受信される番組を記録する記録手段と、
放送予定の番組を視聴予約する予約手段と、
該予約手段で予約した番組の放送開始前に予約した番組が放送開始される旨の報知を行い、該報知に対して予め定められた応答がない場合は、当該視聴予約がされている番組を前記記録手段に記録する制御手段と、
を備えたことを特徴とする携帯端末。
【請求項２】
前記制御手段は、前記予約した番組が放送開始される旨の報知を行う際に番組が視聴されている場合は、当該予約した番組が放送開始される旨の報知を抑止することを特徴する請求項１に記載の携帯端末。
【請求項３】
形状が閉状態から開状態に遷移する携帯端末であって、
前記予め定められた応答とは、前記携帯端末の形状が閉状態から開状態に遷移する動作であることを特徴とする請求項１に記載の携帯端末。
【請求項４】
イヤホンを接続することが可能な携帯端末であって、
前記予め定められた応答とは、前記携帯端末に対する前記イヤホンの接続であることを特徴とする請求項１に記載の携帯端末。
【請求項５】
デジタル放送用アンテナを接続することが可能な携帯端末であって、
前記予め定められた応答とは、前記携帯端末に対する前記アンテナの接続であることを特徴とする請求項１に記載の携帯端末。
【請求項６】
電話通信網と通信を行う通信手段を有し、
前記制御手段は、前記予約した番組が放送開始される旨の報知を行う際に前記通信手段により通信が行われている場合は、当該視聴予約されている番組を前記記録手段に記録することを特徴とする請求項１に記載の携帯端末。
【発明の詳細な説明】
【技術分野】
【０００１】
本発明は、例えば、デジタル放送を受信可能な携帯電話やＰＤＡ（Personal digital assistant）、専用受信機等の携帯端末に関する。
【背景技術】
【０００２】
近年、携帯電話機にテレビチューナを内蔵する技術が知られている（例えば、特許文献１参照）。また、地上波デジタル放送または衛星デジタル放送では、主に携帯性の高い小型受信機向けに、１または３セグメントの伝送帯域を使用した放送が予定されている。
【特許文献１】特開２００２−９９２０号公報
【発明の開示】
【発明が解決しようとする課題】
【０００３】
ところで、一般に、デジタル放送を受信する機器は、放送される番組の視聴予約を行うことができ、予約時刻になると該予約した番組を受信して表示する。
しかしながら、デジタル放送を受信することができる携帯端末に視聴予約機能を搭載しても、該携帯端末がユーザのポケットやカバン等の中に入れられその位置が移動しているため、視聴予約の開始時刻に番組視聴が困難な場所にいる場合がある。例えば、電車の車内、会議の途中等静寂にしなければならない場所や番組を視聴するのに好ましくない場所に居る場合などが考えられる。
このような視聴困難な場所に居る場合、ユーザはリアルタイムの番組視聴を諦めこの番組を録画して後で楽しむことも出来るが、（１）録画操作に手間取って開始時刻に間に合わなかったり、（２）上記場所で録画までの操作が行えずその録画自体を諦めなければならなかったり、など結果として視聴予約をしていた番組を見逃すという問題がある。
また、ポケットやカバン等の中に入れていたために視聴開始時刻に気付かず視聴予約をしていた番組を見逃すという問題もある。
【課題を解決するための手段】
【０００４】
前記目的を達成するために、本発明の第１の観点の携帯端末は、デジタル放送において放送される番組を受信する受信手段と、該受信手段により受信される番組を記録する記録手段と、放送予定の番組を視聴予約する予約手段と、該予約手段で予約した番組の放送開始前に予約した番組が放送開始される旨の報知を行い、該報知に対して予め定められた応答がない場合は、当該視聴予約がされている番組を前記記録手段に記録する制御手段とを備える。
【発明の効果】
【０００５】
本発明によれば、視聴予約を行った番組の見逃しを防ぐことができる携帯端末を提供することができる。
【発明を実施するための最良の形態】
【０００６】
本実施形態に係る携帯端末１００は、例えばデジタル放送やデジタルラジオの放送信号を受信する機能や、番組予約を行う機能を有する携帯電話、ＰＤＡ（Personal digital assistant）、カーナビゲーション装置等の携帯端末である。本実施形態では携帯端末として携帯電話１００を説明する。
【０００７】
本実施形態に係る携帯電話１００は、例えば、デジタル放送を予約して視聴する機能を有し、予約時刻前に事前報知を行い、予約時刻までに再生指示が入力されない場合には、その予約番組を記録手段に記録する。
以下、図面を参照しながら詳細に説明する。
【０００８】
図１は、本発明に係る携帯端末の一実施形態の機能ブロック図である。図２は、図１に示した携帯電話の一具体例の全体図である。
【０００９】
本実施形態に係る携帯電話１００は、例えば図１に示すように、受信部１０１、スピーカ１０２、表示部１０３、計時部１０４、バイブレータ１０５、入力部１０６、送話器１０７、受話器１０８、通信部１０９、電池１１０、電源制御部１１１、メモリ１１２、および制御部１１３を有する。
【００１０】
受信部１０１は、例えば制御部１１３の制御により、オン状態で、予め規定された時刻に放送されるコンテンツデータ（番組）と当該コンテンツデータを識別するための指標となる識別情報ＩＤとを含む放送波を受信し、受信した放送波に応じた信号をスピーカ１０２、表示部１０３、および制御部１１３等に出力する。
【００１１】
本実施形態では、受信部１０１は、例えば電子番組ガイド情報（ＥＰＧ：Electronic Program Guide）等が含まれる放送波を受信する。
また、ＥＰＧは、放送波だけではなく、通信ネットワーク網（ＷＷＷ：world wide web）を介してサーバ装置（情報処理装置）から取得することもできる。
ＥＰＧには、個々のコンテンツデータ（番組）を識別するための指標となる識別情報ＩＤが含まれている。
【００１２】
識別情報ＩＤは、例えばＡＲＩＢ  ＳＴＤ−Ｂ１０の番組配列情報についての規定されており、番組特定情報（ＰＳＩ：Program Specific Information）と呼ばれる放送番組関連テーブル（ＰＡＴ：Program Association Table）、放送番組マップテーブル（ＰＭＴ：Program Map Table）、ネットワーク情報テーブル（ＮＩＴ：Network Information Table）、限定受信テーブル（ＣＡＴ：Conditional Access Table）等の４つのテーブルから構成される。
本実施形態では、例えばこれらに含まれる放送番組番号識別と呼ばれる要素を使用する。
【００１３】
これらの情報は、番組を識別するＩＤも含めてMPEG-２ Systems（ITU−T H.222.0、ISO/IEC 13818-1）で規定されるセクション形式のデータ構造を用いて伝送され放送信号に含められる。
【００１４】
受信部１０１は、例えば図１に示すように、放送無線部１０１１、復調部１０１２、および復号部１０１３を有する。
放送無線部１０１１は、例えば高周波回路、同調回路、周波数変換回路等により構成され、アンテナＡＮＴ１で受信した放送波を中間周波信号に変換して復調部１０１２に出力する。
【００１５】
復調部１０１２は、例えば復調回路等により構成され、放送無線部１０１１から出力された信号に、予め規定された復調処理を施して、復号部１０１３に出力する。
【００１６】
復号部１０１３は、例えばデコーダ回路等により構成され、復調部１０１２から出力された信号に、予め規定されたデコード処理を施して、音声信号、画像信号、データ信号等を生成し、スピーカ１０２、表示部１０３、および制御部１１３等に出力する。
【００１７】
スピーカ１０２は、例えば制御部１１３の制御により、所定の音声信号、例えば受信部１０１から出力された音声信号やその他音声信号を基に発音を行う。
【００１８】
表示部１０３は、例えば制御部１１３の制御により、所定の画像信号、例えば受信部１０１から出力された画像信号やその他画像信号を基に画像表示を行う。例えば表示部１０３は、液晶ディスプレイ装置（ＬＣＤ）等の表示装置により構成される。
【００１９】
携帯電話１００の装置本体部１は、例えば図２に示すように、第１筐体部１１、および第２筐体部１２を有する。
第２筐体部１２は、第１筐体部１１と回転軸Ｌを中心に回転可能に設けられている。詳細には、第１筐体部１１と第２筐体部１２とは回転部１３により回転可能に接続されている。
表示部１０３は、例えば図２に示すように、装置本体部１の第１筐体部１１の中央部に設けられている。
【００２０】
計時部１０４は、例えば発振子による振動を基に計時を行い、計時する現時刻情報を制御部１１３に出力する。
バイブレータ１０５は、例えば制御部１１３の制御により、マナーモード時に装置を振動させることにより報知を行う。
【００２１】
入力部１０６は、受信部１０１が受信するコンテンツデータ（番組）の予約情報を設定する。例えば予約情報は、開始時刻、終了時刻、チャンネル情報等の情報を含む。
また、入力部１０６は、放送視聴の開始および終了、チャンネル切替、音量調節、視聴予約等の操作指示を示す信号を、制御部１１３に出力する。
また、入力部１０６は、再生指示を示す信号を制御部１１３に出力する。
【００２２】
例えば、入力部１０６は、テンキーや、キーボードやポインティングデバイス等により構成され、ユーザの操作に応じた信号を制御部１１３に出力する。
入力部１０６は、例えば図２に示すように、装置本体部１の第２筐体部１２の中央部に設けられている。
【００２３】
送話器１０７は、例えばマイクロフォン等により構成され、ユーザの音声に応じた電気信号を通信部１０９や制御部１１３に出力する。送話器１０７は、例えば図２に示すように、第２筐体部１２の下部に設けられている。
【００２４】
受話器１０８は、例えばスピーカ等により構成され、制御部１１３の制御により、通信部１０９から出力された音声信号や受信部１０１から出力された音声信号に応じた発音を行う。受話器１０８は、例えば図２に示すように、第１筐体部１１の上部に設けられている。
【００２５】
通信部１０９は、例えば制御部１１３の制御により、無線信号により携帯電話の通信網の装置である基地局や通信機能を有する他の携帯端末と通信を行う。
【００２６】
通信部１０９は、例えば送話器１０７から入力された電気信号を予め規定された方式で無線信号に変換し、アンテナＡＮＴ２を介して出力する。また、通信部１０９は、アンテナＡＮＴ２で受信した無線信号に予め規定された方式で復調して音声信号、データ信号等を生成する。受話器１０８は、通信部１０９が生成した音声信号に応じた発音を行う。
【００２７】
通信部１０９は、例えば図１に示すように、分配・混合部１０９１、受信無線部１０９２、復調部１０９３、復号部１０９４、デジタル／アナログ（Ｄ／Ａ）変換部１０９５、アナログ／デジタル（Ａ／Ｄ）変換部１０９６、符号化部１０９７、変調部１０９８、および送信無線部１０９９を有する。
【００２８】
分配・混合部１０９１は、アンテナＡＮＴ２で受信した無線信号を高周波信号に変換して受信無線部１０９２に出力する。また、分配・混合部１０９１は、送信無線部１０９９から出力された高周波信号をアンテナＡＮＴ２に出力する。
【００２９】
受信無線部１０９２は、例えば同調回路等により構成され、分配・混合部１０９１から出力された高周波信号を中間周波信号に変換して復調部１０９３に出力する。
【００３０】
復調部１０９３は、例えば制御部１１３の制御により、受信無線部１０９２から出力された信号に、予め規定された復調処理を施し、生成したデータ列を復号部１０９４や制御部１１３に出力する。
【００３１】
復号部１０９４は、例えば復調部１０９３から出力されたデータ列に、予め規定された復号処理を施し、生成したデジタル信号をＤ／Ａ変換部１０９５に出力する。
【００３２】
Ｄ／Ａ変換部１０９５は、復号部１０９４から出力されたデジタル信号にデジタル／アナログ変換処理を施して音声信号を受話器１０８に出力する。
【００３３】
アナログ／デジタル（Ａ／Ｄ）変換部１０９６は、例えば送話器１０７から出力されたアナログ音声信号に、アナログ／デジタル信号変換処理を施し、生成したデジタル信号を符号化部１０９７に出力する。
【００３４】
符号化部１０９７は、Ａ／Ｄ変換部１０９６から出力されたデジタル信号に、例えば圧縮符号化処理を施して、変調部１０９８に出力する。
【００３５】
変調部１０９８は、例えば制御部１１３の制御により、符号化部１０９７から出力された信号や、制御部１１３から出力されたデータ信号に、予め規定された電波伝送に適した変調処理を施して、送信無線部１０９９に出力する。
【００３６】
送信無線部１０９９は、例えば周波数変換回路や高周波回路、増幅回路等により構成され、変調部１０９８から出力された信号を分配・混合部１０９１を介して、アンテナＡＮＴ２から無線信号として送信する。
【００３７】
電池（バッテリ）１１０は、例えば、装置の各構成要素に電力を供給する。例えば電池１１０は、充電および放電可能な２次電源や、バックアップ用電池により構成され、電源制御部１１１および制御部１１３の制御により装置全体に電力を供給する。
【００３８】
電源制御部１１１は、例えば制御部１１３の制御により、各構成要素の電力の供給を制御する。
また、電源制御部１１１は電池１１０の全電力容量のうち、残り電力量を示す残量情報を生成し、制御部１１３に出力する。
【００３９】
電源制御部１１１は、例えば制御部１１３から、受信部１０１をオフ状態からオン状態に切り換えさせる制御信号が出力されると、その制御信号に応じて電池１１０の電力を受信部１０１に供給して、受信部１０１をオン状態に切り換える。
また、電源制御部１１１は、制御部１１３から、受信部１０１をオン状態からオフ状態に切り換えさせる制御信号が出力されると、その制御信号に応じて受信部１０１への電力供給を抑制して、受信部１０１をオフ状態に切り換える。
【００４０】
また、通信部１０９への電力供給も同様である。
例えば、電源制御部１１１は、制御部１１３から、通信部１０９をオフ状態からオン状態に切り換えさせる制御信号が出力されると、その制御信号に応じて電池１１０の電力を通信部１０９に供給して、通信部１０９をオン状態に切り換える。
また、電源制御部１１１は、制御部１１３から、通信部１０９をオン状態からオフ状態に切り換えさせる制御信号が出力されると、その制御信号に応じて通信部１０９への電力供給を抑制して、通信部１０９をオフ状態に切り換える。
【００４１】
メモリ１１２は、制御部１１３の制御により、コンテンツデータや、電話帳データ、着信音データ、メールデータ、画像データ、初期データ、プログラム（ＰＲＧ）等を記録する。メモリ１１２は、例えばＲＡＭ（Random Access Memory）やＲＯＭ（Read Only Memory）や、ハードディスク等の記録装置により構成される。
【００４２】
プログラム（ＰＲＧ）は、本発明に係る機能を有し、制御部１１３により実行されることで本発明の機能を実現する。
【００４３】
制御部１１３は、装置全体を統括的に制御する。例えば制御部１１３は、メモリ１１２をワークスペースとして、プログラム（ＰＲＧ）を実行することにより、本発明の機能を実現する。
【００４４】
制御部１１３は、予約情報に応じた再生処理を行うか否かを促す報知を、予約情報に含まれる開始時刻前に行い、報知後開始時刻までに再生指示が入力されない場合には、予約情報に基づいて受信部１０１が受信する放送波に含まれるコンテンツデータをメモリ１１２に記録する。
【００４５】
また、制御部１１３は、予約設定後開始時刻前に、予約情報に応じた再生処理と異なるコンテンツデータの再生処理を行っている場合には、上述した報知を抑止する。
【００４６】
また、制御部１１３は、開始時刻に、予約情報に含まれるチャンネル情報と異なるチャンネルのコンテンツデータの再生処理を行っている場合には、予約情報に応じたチャンネル変更に係る報知を行う。
【００４７】
また、制御部１１３は、第１筐体部１１と第２筐体部１２との相対的な回転検出を示す信号が入力された場合には、その信号を再生指示として、予約情報に応じた再生処理を行う。例えば上述した回転を検出する検出手段は、センサーと制御部１１３で構成される。
【００４８】
また、制御部１１３は、予約開始時刻に通信部１０９が通話中の場合には、予約情報に基づいて受信手段が受信する放送波に含まれるコンテンツデータをメモリ１１２に記録する。
【００４９】
以下、携帯電話１００の具体的な動作を図面を参照しながら説明する。
図３は、図１に示した携帯電話の動作の一具体例を説明するためのフローチャートである。図３を参照しながら、事前通知時の動作を、制御部１１３の動作を中心に説明する。
【００５０】
ステップＳＴ１において、視聴予約を行う。
例えば制御部１１３は、入力部１０６により、受信部１０１が受信するコンテンツデータの開始時刻を含む予約情報を示す信号が入力されると、その信号に基づいて視聴予約設定を行う。
【００５１】
ここで、図４（Ａ）〜（Ｃ）は、図３のステップＳＴ１に示した携帯電話の予約設定時の動作を説明するための図である。図４（Ａ）は、直接入力による予約設定時の動作を説明するための図である。図４（Ｂ），（Ｃ）は、電子番組表等による予約設定時の動作を説明するための図である。
【００５２】
ステップＳＴ１における視聴予約設定として、例えば第１〜第３の視聴予約設定を説明する。
【００５３】
〔第１の視聴予約設定〕
第１の視聴予約設定としては、例えばユーザが独自に入手した放送予定の番組情報に基づいて、番組名情報Ｄ１、放送日情報Ｄ２、放送開始時刻Ｄ３、放送終了時間Ｄ４、およびチャンネル情報Ｄ５等の予約情報を入力部１０６から直接入力する。
詳細には、制御部１１３は、直接入力時には、例えば表示部１０３に図４（Ａ）に示すような表示をさせる。
【００５４】
表示ＰＴ１は、例えば装置の状態を表示する状態表示領域ＡＲ１、およびメイン領域ＡＲ２、およびソフトキー機能表示領域ＡＲ３を有する。
状態表示領域ＡＲ１は、例えば電池残量を示す電池残量ピクトＰ１、および受信状態を示す受信状態ピクトＰ２等を有する。
【００５５】
電池残量ピクトＰ１は、例えば電源制御部１１１による電池１１０の残量情報に基づいて表示される電池残量を示す表示である。
受信状態ピクトＰ２は、例えば受信部１０１や通信部１０９による電波受信状態を示す表示である。
【００５６】
メイン領域ＡＲ２には、視聴予約入力時には、番組名情報Ｄ１、放送日情報Ｄ２、開始時刻情報Ｄ３、終了時刻情報Ｄ４、およびチャンネル情報Ｄ５等を入力するための表示がされる。
【００５７】
番組名情報Ｄ１は、予約番組名を示す情報である。放送日情報Ｄ２は、予約番組の放送日を示す情報である。開始時刻情報Ｄ３は、予約番組の開始時刻を示す情報である。終了時刻情報Ｄ４は、予約番組の終了時刻を示す情報である。チャンネル情報Ｄ５は、予約番組のチャンネルを示す情報である。
制御部１１３は、上述したユーザの操作により入力部１０６から入力された各情報を示す信号に基づいて、予約情報を生成する。
【００５８】
〔第２の視聴予約設定〕
第２の視聴予約設定としては、例えば電子番組ガイド情報（ＥＰＧ：Electronic Program Guide）を含むデジタル放送を受信部１０１が受信可能な場合、受信部１０１が受信するＥＰＧ、および入力部１０６からの信号に基づいて選択的に予約情報を生成する。
【００５９】
詳細には、制御部１１３は、例えば図４（Ｂ）に示すように、受信部１０１が受信するＥＰＧに応じた表示ＰＴ２を表示部１０３に表示させ、ユーザの操作により入力部１０６から入力された選択信号に応じて、所望の番組（コンテンツデータ）を選択し、選択結果に基づいて例えば図４（Ｃ）に示すように予約情報の確認を促す表示ＰＴ３を表示部１０３に表示させ、確認指示の入力を受けて予約情報を生成する。
【００６０】
〔第３の視聴予約設定〕
第３の視聴予約設定としては、例えば制御部１１３の制御により、通信部１０９が通信ネットワークを介して、電子番組ガイド情報を提供する提供サーバ装置にアクセスして電子番組情報を取得し、上述したように入力部１０６からの選択信号に基づいて予約情報を生成する。
【００６１】
ステップＳＴ２において、制御部１１３は、上述したように入力部１０６から入力された予約情報ＤＡを、メモリ１１２に記録（保存）する。
【００６２】
そして、図５は、図３に示した携帯電話の予約情報の一具体例を示す図である。
予約情報ＤＡは、例えば図５に示すように、番組名情報Ｄ１、放送日情報Ｄ２、開始時刻情報Ｄ４、終了時刻情報Ｄ５、およびチャンネル情報Ｄ６を関連付けて記録する。
【００６３】
ステップＳＴ３において、事前通知予定時刻を設定する。
詳細には、制御部１１３は、例えば数式（１）に示すように、視聴予約番組における放送開始時刻Ｔ１より所定時間Ｔ２前を事前通知予定時刻Ｔ３とする。所定時間Ｔ２は、例えば３分程度に設定する。また、所定時間Ｔ２は、ユーザにより任意に設定可能とする。
【００６４】
〔数１〕
Ｔ３  ＝  Ｔ１−Ｔ２  …（１）
【００６５】
ステップＳＴ４において、計時部１０４が計時する現時刻情報と、事前通知予定時刻Ｔ３とを比較して、一致しているか否かを判別する。
現時刻が事前通知予定時刻と一致している場合、制御部１１３は、番組を視聴中であるか否かを判別する（ＳＴ５）。
つまり、制御部１１３は、予約設定後開始時刻前に、予約情報に応じた再生処理と異なるコンテンツデータの再生処理を行っているか否かを判別する。
視聴中でないと判別した場合には、制御部１１３は、事前通知動作を実行し（ＳＴ６）、後述する放送記録自動実行判断フローを実行する（ＳＴ７）。つまり、制御部１１３は、予約情報ＤＡに応じた再生処理を行うか否かを促す報知を、予約情報ＤＡに含まれる開始時刻前に行う。
【００６６】
ステップＳＴ６において、制御部１１３は、例えばバイブレータ１０５やスピーカ１０２等の報知部、表示部１０３、受話器１０８等から所定の報知を行うことにより、事前通知動作を行う。例えば、出力内容および継続時間はユーザにより任意に設定可能である。
例えば、報知部として、バイブレータ１０５の他に、サウンダや発光ダイオード（ＬＥＤ）等が事前通知を行ってもよい。
【００６７】
尚、図６は、図３に示した携帯電話の事前通知動作時の表示部に表示される画面の一具体例を示す図である。
制御部１１３は、事前通知動作時には、例えば図６に示すような表示を表示部１０３に表示させる。
【００６８】
例えばメイン領域ＡＲ２に、表示として、視聴予約番組の番組情報、（番組名情報Ｄ１、放送日情報Ｄ２、放送開始時刻Ｄ３、放送終了時間Ｄ４、およびチャンネル情報Ｄ５等の情報を表示させる。
また、制御部１１３は、例えばメイン領域ＡＲ２に、”視聴を開始しない場合は自動的に録画を行います。”とその旨を報知する。
【００６９】
また、予約情報に応じた再生処理を行うか否かを促す報知として、領域ＡＲ３に、視聴キャンセルアイコンＩ３１、視聴決定アイコンＩ３２、メニューアイコンＩ３３を表示させる。
視聴キャンセルアイコンＩ３１が入力部１０６により操作されると、制御部１１３は、視聴予約情報ＤＡを無効に設定する。
視聴決定アイコンＩ３２が入力部１０６により操作されると、制御部１１３は、その視聴予約情報ＤＡを有効に設定する。
メニューアイコンＩ３３が入力部１０６により操作されると、制御部１１３は、メニュー画面を表示部１０３に表示させる。
【００７０】
また、制御部１１３は、状態表示領域ＡＲ１に、電池残量ピクトＰ１、受信状態ピクトＰ２、現時刻を示す現時刻表示ピクトＰ３等を表示させる。
【００７１】
また、制御部１１３は、マナーモード設定時には、そのマナーモードの制約条件に応じた出力を行う。つまり制御部１１３は、マナーモード時には、スピーカ１０２や受話器１０８による発音による事前通知動作を抑止し、例えばバイブレータ１０５による振動や、表示部１０３による報知画面表示により事前通知を行う。
【００７２】
そして、図３に示す、ステップＳＴ５の判別において、番組を視聴中であると判別した場合には、事前通知動作を行わない。つまり制御部１１３は、予約設定後開始時刻前に、予約情報に応じた再生処理と異なるコンテンツデータの再生処理を行っている場合には、報知（事前通知動作）を抑止する。
【００７３】
そして、ステップＳＴ８において、制御部１１３は、計時部１０４が計時する現時刻が、予約情報に含まれる開始時刻であるか否かを判別し、開始時刻でない場合にはステップＳＴ５の処理に戻る。
また、事前通知動作を実行せず、その後、視聴予約番組の放送開始時間となる前にユーザが番組視聴を終了した場合、制御部１１３は、その時点から事前通知動作を実行する。
【００７４】
また、図７（Ａ）〜（Ｃ）は、図３に示した携帯電話の開始時刻時の動作を説明するための図である。
【００７５】
また、制御部１１３は、事前通知動作を実行せず、例えば図７（Ａ）に示すように予約情報と異なる番組を視聴していたとき、視聴予約番組の放送開始時間となり、それまで視聴していた放送チャンネルが視聴予約番組の放送チャンネル(予約チャンネル)と異なる場合には（ＳＴ９）、例えば図７（Ｂ）に示すように、チャンネル変更に係る報知を行い（ＳＴ１０）、予約情報ＤＡに応じた予約チャンネルへと自動もしくは手動により切替可能とし、例えば図７（Ｃ）に示すように、予約情報ＤＡに応じた番組（コンテンツデータ）を表示部１０３に表示させる（ＳＴ１１）。
【００７６】
一方、ステップＳＴ９の判別において、それまで視聴していた放送チャンネルと、視聴予約番組の放送チャンネル(予約チャンネル)と一致している場合には、制御部１１３は、チャンネル設定を保持し、予約情報ＤＡに基づいて、受信部１０１で受信した放送波に含まれる番組（コンテンツデータ）を表示部１０３に表示させる。
【００７７】
図３に示すステップＳＴ７における放送記録自動実行判断について詳細に説明する。
図８は、図３に示した放送記録自動実行判断の一具体例を説明するためのフローチャートである。図９（Ａ）〜（Ｃ）は、図８に示した携帯電話の動作時の表示画面の一具体例を示す図である。
【００７８】
ステップＳＴ７１において、制御部１１３は、例えば図９（Ａ）に示すような表示による報知後、開始時刻までに再生指示が入力されたか否かを判別する。つまり、制御部１１３は視聴開始操作指示が入力されたか否かを判別する。
再生指示が入力された場合、例えば図９（Ａ）に示す視聴決定アイコンＩ３２が操作されると、制御部１１３は、予約情報に応じた予約チャンネルの視聴（再生処理）を行い（ＳＴ７２）、視聴終了操作指示が入力されるまで再生処理を行い、視聴終了操作指示が入力された場合には、再生処理を終了する。
また、図９（Ａ）に示すキャンセルアイコンＩ３１が操作された場合には、制御部１１３は、視聴予約情報ＤＡを無効に設定して、待ち受けモードに遷移して、例えば表示部１０３に待ち受け画面を表示させる。
【００７９】
一方、ステップＳＴ７１の判別において、事前通知動作（報知）後、計時部１０４が計時する現時刻が開始時刻か否かを判別し（ＳＴ７４）、開始時刻でない場合にはステップＳＴ７１の処理に戻る。
【００８０】
ステップＳＴ７４の判別において、事前通知動作（報知）後、計時部１０４が計時する現時刻が開始時刻であると判別した場合には、つまり報知後開始時刻までに再生指示が入力されない場合には、制御部１１３は、予約情報に基づいて受信部１０１が受信する放送波に含まれるコンテンツデータをメモリ１１２に記録する（ＳＴ７５）。つまり視聴予約番組の放送記録を行う。
【００８１】
その際、制御部１１３は、例えば図９（Ｂ）に示すような記録中である旨を示す表示を表示部１０３に表示させる。
例えば表示は、番組名情報Ｄ１、放送日情報Ｄ２、放送開始時刻Ｄ３、放送終了時刻Ｄ４、チャンネル情報Ｄ５、記録時間経過情報Ｄ６、および記録残り時間情報Ｄ７等を表示する。
【００８２】
記録時間経過情報Ｄ６は、記録開始時刻からの経過時間を示す情報である。記録残り時間情報Ｄ７は、例えば放送終了時刻Ｄ４から現時刻を減算した時間を示す情報である。
【００８３】
制御部１１３は、例えば図９（Ｃ）に示すように、時間経過により、計時部１０４が経過する時刻情報に基づいて、記録時間経過情報Ｄ６や記録残り時間情報Ｄ７を更新する。
【００８４】
また、記録中にキャンセルアイコンＩ３１が操作された場合には、制御部１１３は、記録処理を抑止する。
また、記録中に、視聴決定アイコンＩ３２が操作された場合には、制御部１１３は、視聴予約番組の視聴を開始する。また、記録処理を抑止し、かつ視聴を開始するように設定してもよい。
【００８５】
そして、図８のステップＳＴ７６において、制御部１１３は、予約情報ＤＡに基づいて、計時部１０４が計時する現時刻が、終了時刻と一致するか否かを判別し、一致していない場合には、ステップＳＴ７５の処理に戻り、一致している場合には記録処理を終了する。
【００８６】
また、制御部１１３は、上述した入力部１０６からの再生指示の他に、例えばユーザによる下記の動作を再生指示としてもよい。
【００８７】
例えば図２に示すように、装置１は、第１筐体部１１、および当該第１筐体部１１と回転軸Ｌを中心に回転可能に設けられた第２筐体部１２により構成され、制御部１１３は、第１筐体部１１と第２筐体部１２との相対的な回転を検出センサーにより検出し、回転検出を示す信号が入力された場合には、その信号を再生指示としてもよい。
【００８８】
詳細には、装置の形状が上述したように折りたたみタイプの場合、閉状態（折り畳んでいる状態）から開状態（折り畳みを展開した状態）に遷移した動作を再生指示とする。
また、装置形状がターンタイプの場合、第１筐体と第２筐体が重なり合った状態（閉状態）から連結部を中心に回転させて展開（開状態）させる動作を再生指示としてもよい。
尚、閉状態でも視聴可能であれば、開状態から閉状態に遷移する動作も予め定められた応答としてもよい。
また、着脱式の視聴用イヤホンを有する場合、イヤホンの接続を検出した場合に、その検出結果を示す信号を再生指示としてもよい。
また、着脱式の視聴用アンテナを有する場合、アンテナの接続を検出した場合に、その検出結果を示す信号を再生指示としてもよい。
【００８９】
また、上述した再生指示の入力がない場合でも、自動的に視聴予約番組の再生処理を行い、同時に記録処理を行ってもよい。
また、不図示の充電器により電池１１０を充電している場合に、上述した再生処理および記録処理を行ってもよい。
【００９０】
以上説明したように、デジタル放送において放送される番組を受信する受信部１０１と、受信部１０１により受信される番組を記録するメモリ１１２と、放送予定の番組を視聴予約する入力部１０６と、入力部１０６で予約した番組の放送開始前に予約した番組が放送開始される旨の報知を行い、該報知に対して予め定められた応答がない場合は、当該視聴予約がされている番組をメモリ１１２に記録する制御部１１３とを設けたので、視聴予約を行った番組の見逃しを防ぐことができる。
【００９１】
また、制御部１１３は、予約した番組が放送開始される旨の報知を行う際に番組が視聴されている場合は、当該予約した番組が放送開始される旨の報知を抑止するので、番組視聴を妨げない。
【００９２】
また、例えば携帯端末の形状が閉状態から開状態に遷移する携帯端末であって、制御部１１３は、携帯端末の形状が閉状態から開状態に遷移する動作時に、上述した予め定められた応答と認識することで、形状状態の変化に応じて本発明を実現することができる。
【００９３】
また、例えばイヤホンを接続することが可能な携帯端末であって、制御部１１３は、携帯端末に対するイヤホンの接続時に、上述した予め定められた応答と認識することで、イヤホンの着脱に応じて本発明を実現することができる。
【００９４】
また、例えば、デジタル放送用アンテナを接続することが可能な携帯端末であって、制御部１１３は、携帯端末に対するアンテナの接続時に、上述した予め定められた応答と認識することで、アンテナの着脱に応じて本発明を実現することができる。
【００９５】
また、電話通信網と通信を行う通信部１０９を有し、制御部１１３は、予約した番組が放送開始される旨の報知を行う際に通信部１０９により通信が行われている場合は、当該視聴予約されている番組をメモリ１１２に記録するので、確実にユーザに番組を提供することができる。
【００９６】
また、視聴困難な場合にのみ番組を記録するので、メモリ容量に制限がある携帯端末であっても、メモリリソースを有効に活用することができる。
【００９７】
なお、本発明は本実施形態に限られるものではなく、任意好適な改変が可能である。
例えば、本発明に係る携帯端末１００が、電源ＯＦＦ時に視聴予約番組の放送開始時間となった場合、視聴困難であるとして、視聴予約番組の記録を実行してもよい。つまり、事前通知予定時刻に自動的に電源をオン状態に設定し、記録処理を行ってもよい。
【００９８】
また、制御部１１３は、視聴予約番組の視聴と記録を同時に行ってもよい。
【００９９】
また、例えば上述した携帯電話１００の構成は上述した構成に限られるものではない。
また、プログラム（ＰＲＧ）は、通信ネットワークを介してダウンロードされてもよい。
また、制御部は、本発明に係る機能を有するハードウェアの回路により実現されてもよい。
【図面の簡単な説明】
【０１００】
【図１】本発明に係る携帯端末の一実施形態の機能ブロック図である。
【図２】図１に示した携帯電話の一具体例の全体図である。
【図３】図１に示した携帯電話の動作の一具体例を説明するためのフローチャートである。
【図４】図３に示した携帯電話の予約設定時の動作を説明するための図である。（Ａ）は、直接入力による予約設定時の動作を説明するための図である。（Ｂ），（Ｃ）は、電子番組表等による予約設定時の動作を説明するための図である。
【図５】図３に示した携帯電話の予約情報の一具体例を示す図である。
【図６】図３に示した携帯電話の事前通知動作時の表示部に表示される画面の一具体例を示す図である。
【図７】（Ａ）〜（Ｃ）は、図３に示した携帯電話の開始時刻時の動作を説明するための図である。
【図８】図３に示した放送記録自動実行判断の一具体例を説明するためのフローチャートである。
【図９】（Ａ）〜（Ｃ）は、図８に示した携帯電話の動作時の表示画面の一具体例を示す図である。
【符号の説明】
【０１０１】
１００…携帯端末（携帯電話）、１０１…受信部、１０２…スピーカ、１０３…表示部、１０４…計時部、１０５…バイブレータ、１０６…入力部、１０７…送話器、１０８…受話器、１０９…通信部、１１０…電池、１１１…電源制御部、１１２…メモリ、１１３…制御部、１０１１…放送無線部、１０１２…復調部、１０１３…復号部、１０９１…分配・混合部、１０９２…受信無線部、１０９３…復調部、１０９４…復号部、１０９５…デジタル／アナログ（Ｄ／Ａ）変換部、１０９６…アナログ／デジタル（Ａ／Ｄ）変換部、１０９７…符号化部、１０９８…変調部、１０９９…送信無線部。
【図１】
2006041880.tif 000003
【図２】
2006041880.tif 000004
【図３】
2006041880.tif 000005
【図４】
2006041880.tif 000006
【図５】
2006041880.tif 000007
【図６】
2006041880.tif 000008
【図７】
2006041880.tif 000009
【図８】
2006041880.tif 000010
【図９】
2006041880.tif 000011